(57)【要約】【課題】複数のプロファイルを時間帯によって使い分けてシステム環境設定を自動的に切り換えることを可能とした電子機器を提供する。【解決手段】ピークシフト／カット制御プログラム２００は、システム環境設定の切り換え制御を実行するプログラムであり、システム環境設定項目を一括して管理するプロファイルＢの時間帯ごとの使い分けを行う。ユーザインターフェース部２０１は、各プロファイルに対応づける時間帯を設定する。時刻取得部２０２は、オペレーティングシステム１００の内部時計部１０１からシステム時刻を周期的に取得し、そのシステム時刻をプロファイル切換部２０３に引き渡す。そして、プロファイル切り換え部２０３は、時刻取得部２０２からシステム時刻を受け取りながら、ユーザインターフェース部２０１により設定された時間帯に応じて、プロファイルの切り換え制御を実行する。【選択図】      図３
2005222564.tif 000002
【特許請求の範囲】
【請求項１】
所定のイベントが発生するまで電源オフ状態で待機するスタンバイモードを有し、外部電源またはこの外部電源によって充電可能なバッテリによって駆動可能に構成された電子機器において、
システムの動作環境の項目を管理するプロファイルであって、前記バッテリの充電を禁止する設定項目を有する第１のプロファイルと、前記バッテリの充電を含む前記外部電源の利用を禁止する設定項目を有する第２のプロファイルと、前記バッテリの充電を含む前記外部電源の利用を制限する設定項目を有しない通常プロファイルとを含む複数のプロファイルを記憶する記憶手段と、
前記複数のプロファイルそれぞれに時間帯を設定可能な設定手段と、
前記設定手段により設定された時間帯に応じたプロファイルに基づいてシステム動作を実行する制御手段と、
を具備し、
前記制御手段は、前記第１のプロファイルまたは前記第２のプロファイルの使用中に前記電子機器がスタンバイモードへ移行する場合、前記通常プロファイルへの切り換えを実行する手段を含むことを特徴とする電子機器。
【請求項２】
前記複数のプロファイルにおいて、それぞれのプロファイルで設定される前記システムの動作環境の項目を設定可能な設定手段をさらに具備することを特徴とする請求項１記載の電子機器。
【請求項３】
前記設定手段による設定の有効期間を設定する有効期間設定手段をさらに具備することを特徴とする請求項１または２に記載の電子機器。
【請求項４】
前記外部電源からの電力供給状態を示す表示手段を具備し、
前記表示手段は、前記第２のプロファイルに基づき前記電子機器が前記バッテリにより駆動された場合、前記表示手段により前記外部電源からの電力供給が停止したことを示すことを特徴とする請求項１記載の電子機器。
【請求項５】
前記バッテリが充電されている状態か否かをを示す表示手段を具備し、
前記表示手段は、前記第１のプロファイルに基づき前記バッテリの充電が停止された場合、前記表示手段により前記バッテリの充電が停止されたことを示すことを特徴とする請求項１記載の電子機器。
【請求項６】
前記制御手段は、前記第２のプロファイルに基づき前記電子機器を前記バッテリにより駆動させている際、前記バッテリの残量が所定残量よりも低下した場合に、前記外部電源により前記電子機器を駆動させることを特徴とする請求項１記載の電子機器。
【請求項７】
所定のイベントが発生するまで電源オフ状態で待機するスタンバイモードを有し、外部電源またはこの外部電源によって充電可能なバッテリによって駆動可能に構成された電子機器のシステム環境設定方法であって、
システムの動作環境の項目を管理するプロファイルであって、前記バッテリの充電を禁止する設定項目を有する第１のプロファイルと、前記バッテリの充電を含む前記外部電源の利用を禁止する設定項目を有する第２のプロファイルと、前記バッテリの充電を含む前記外部電源の利用を制限する設定項目を有しない通常プロファイルとを含む複数のプロファイルを記憶する記憶ステップと、
前記複数のプロファイルそれぞれに時間帯を設定可能な設定ステップと、
前記設定ステップにより設定された時間帯に応じたプロファイルに基づいてシステム動作を実行する制御ステップと、
を具備し、
前記制御ステップは、前記第１のプロファイルまたは前記第２のプロファイルの使用中に前記電子機器がスタンバイモードへ移行する場合、前記通常プロファイルへの切り換えを実行するステップを含むことを特徴とするシステム環境設定方法。
【発明の詳細な説明】
【技術分野】
【０００１】
この発明は、例えばパーソナルコンピュータなどの電子機器に適用される省電力制御技術に関する。
【背景技術】
【０００２】
近年、例えばＰＤＡ（Personal Digital Assistant）などと称される携帯情報端末やノート型パーソナルコンピュータ、あるいはデジタルカメラなど、バッテリおよび外部電源（ＡＣ商用電源）のいずれによっても駆動可能な電子機器が種々開発され、広く普及している。
【０００３】
また、最近では、環境保護が大きな注目を集めており、日中に集中する電力消費量を低減（ピークカット）・移動（ピークシフト）させることにより、発電施設の環境負荷を小さくし、例えば地球温暖化等を防止しようという試みも検討され始めている。
【０００４】
そして、このような状況に伴い、この種の電子機器でも、このピークカットまたはピークシフトを実現するための仕組みが考えられてきている（例えば、特許文献１参照）。
【特許文献１】特開２０００−２９５７６８号公報
【発明の開示】
【発明が解決しようとする課題】
【０００５】
ところで、この種の電子機器では、例えばどの位の期間操作が途絶えたらモニタをオフするかや、データアクセスがどの位の期間途絶えたらハードディスク装置をオフするか等、システム環境を設定するための項目を多数有しているのが一般的である。また、これらの項目は、プロファイルなどと称されるファイルで一括して管理されることが多い。したがって、このプロファイルを時間帯によって自動的に使い分けることができれば、前述したピークカットやピークシフトをコストアップを招くことなく実現することも可能である。
【０００６】
しかしながら、従来では、このプロファイルを時間帯によって自動的に使い分けるといったことはまったく行われておらず、ピークカットやピークシフトのための特別な仕組みを別途追加して設けているのが実情であった。
【０００７】
この発明は、このような事情を考慮してなされたものであり、複数のプロファイルを時間帯によって使い分けてシステム環境設定を自動的に切り換えることを可能とした電子機器および同機器のシステム環境設定方法を提供することを目的とする。
【課題を解決するための手段】
【０００８】
前述した目的を達成するために、この発明は、所定のイベントが発生するまで電源オフ状態で待機するスタンバイモードを有し、外部電源またはこの外部電源によって充電可能なバッテリによって駆動可能に構成された電子機器において、システムの動作環境の項目を管理するプロファイルであって、前記バッテリの充電を禁止する設定項目を有する第１のプロファイルと、前記バッテリの充電を含む前記外部電源の利用を禁止する設定項目を有する第２のプロファイルと、前記バッテリの充電を含む前記外部電源の利用を制限する設定項目を有しない通常プロファイルとを含む複数のプロファイルを記憶する記憶手段と、前記複数のプロファイルそれぞれに時間帯を設定可能な設定手段と、前記設定手段により設定された時間帯に応じたプロファイルに基づいてシステム動作を実行する制御手段とを具備し、前記制御手段は、前記第１のプロファイルまたは前記第２のプロファイルの使用中に前記電子機器がスタンバイモードへ移行する場合、前記通常プロファイルへの切り換えを実行する手段を含むことを特徴とする。
【０００９】
また、この発明は、所定のイベントが発生するまで電源オフ状態で待機するスタンバイモードを有し、外部電源またはこの外部電源によって充電可能なバッテリによって駆動可能に構成された電子機器のシステム環境設定方法であって、システムの動作環境の項目を管理するプロファイルであって、前記バッテリの充電を禁止する設定項目を有する第１のプロファイルと、前記バッテリの充電を含む前記外部電源の利用を禁止する設定項目を有する第２のプロファイルと、前記バッテリの充電を含む前記外部電源の利用を制限する設定項目を有しない通常プロファイルとを含む複数のプロファイルを記憶する記憶ステップと、前記複数のプロファイルそれぞれに時間帯を設定可能な設定ステップと、前記設定ステップにより設定された時間帯に応じたプロファイルに基づいてシステム動作を実行する制御ステップとを具備し、前記制御ステップは、前記第１のプロファイルまたは前記第２のプロファイルの使用中に前記電子機器がスタンバイモードへ移行する場合、前記通常プロファイルへの切り換えを実行するステップを含むことを特徴とする。
【発明の効果】
【００１０】
この発明によれば、複数のプロファイルを時間帯によって使い分けてシステム環境設定を自動的に切り換えることを可能とした電子機器および同機器のシステム環境設定方法を提供することができる。
【発明を実施するための最良の形態】
【００１１】
以下、図面を参照してこの発明の実施形態を説明する。
【００１２】
図１は、この発明の実施形態に係る電子機器の外観を示す図である。
【００１３】
この実施形態の電子機器１０は、バッテリ駆動可能なノート型のパーソナルコンピュータであり、図１に示すように、画面表示用のＬＣＤ（Liquid Crystal Display）１４１を内面に設置したフタ部がヒンジ機構により本体部に開閉自在に取り付けられている。また、この本体部の上面には、文字入力用のキーボード３２１と位置入力用のタッチパッド３２２とが配置される。また、本体部にはバッテリ（図示せず）の充電状態を示すバッテリＬＥＤ２１及び外部電源であるACアダプタ（図示せず）からの電源供給状態を示すＡＣアダプタＬＥＤ２２が配設されている。
【００１４】
図２は、この電子機器１０のシステム構成を示す図である。
【００１５】
図２に示されるように、この電子機器１０には、プロセッサバス１、ＰＣＩバス２、ＩＳＡバス３、Ｉ２Ｃバス４、ＣＰＵ１１、ホスト−ＰＣＩブリッジ装置１２、主メモリ１３、ディスプレイコントローラ１４、ＰＣＩ−ＩＳＡブリッジ装置１５、Ｉ／Ｏコントロールゲートアレイ１６、電源コントローラ１７、ＢＩＯＳ−ＲＯＭ３１、キーボードコントローラ（ＫＢＣ）３２、ＨＤＤ３３、ＣＤ−ＲＯＭ装置３４、リアルタイムクロック（ＲＴＣ）３５などが設けられる。
【００１６】
ＣＰＵ１１は、主メモリ１３上のプログラムを実行することにより、このシステム全体の制御を行う。主メモリ１３には、ＣＰＵ１１によって実行されるオペレーティングシステム、デバイスドライバ、実行対象のアプリケーションプログラムおよび処理データなどが格納される。
【００１７】
ホスト／ＰＣＩブリッジ装置１２は、プロセッサバス１とＰＣＩバス２との間を繋ぐブリッジＬＳＩであり、これらの間で、データおよびアドレスを含むバスサイクルを双方向で変換する機能およびメモリバスを介して主メモリ１３をアクセス制御する機能などを有している。
【００１８】
ディスプレイコントローラ１４は、ビデオメモリ（ＶＲＡＭ）１４２に描画された画像データをＬＣＤ１４１に表示する。
【００１９】
ＰＣＩ−ＩＳＡブリッジ装置１５は、ＰＣＩバス２とＩＳＡバス３との間を繋ぐブリッジＬＳＩである。ＩＳＡバス３には、システムＢＩＯＳが格納されているＢＩＯＳ−ＲＯＭ３１、キーボード３２１およびタッチパッド３２２を制御するＫＢＣ３２の他、ＨＤＤ３３、ＣＤ−ＲＯＭ装置３４、ＲＴＣ３５、Ｉ／Ｏコントロールゲートアレイ１６などが接続されている。そして、ＲＴＣ３５は、独自の動作用電池を有する時計モジュールである。
【００２０】
Ｉ／Ｏコントロールゲートアレイ１６は、ＩＳＡバス３とＩ２Ｃバス４とを繋ぐブリッジＬＳＩであり、ＣＰＵ１１によってリード／ライト可能な複数のレジスタ群を内蔵している。これらレジスタ群を使用することにより、ＣＰＵ１１と電源コントローラ１７との間の通信が可能となる。
【００２１】
バッテリパック１８はニッケル水素電池やリチウムイオン電池などの充電可能な２次電池を内蔵しており、コンピュータ本体に取り外し自在に装着できるように構成されている。また、このバッテリパック１８には、ＥＥＰＲＯＭも内蔵されている。このＥＥＰＲＯＭには、２次電池の種類、残存容量およびローバッテリ検知電圧などを示すバッテリ情報が格納されている。このバッテリ情報は電源コントローラ１７によって読み取られ、バッテリの充電制御やシステムの電源管理などに利用される。
【００２２】
電源コントローラ１７は、電源スイッチ２０の操作に応じてこのシステムの電源オン／オフを制御するためのものであり、バッテリパック１８またはＡＣアダプタ１９を用いてシステム内部の各ユニットに動作電力を供給する。この電源コントローラ１７は、本システムのパワーオフ時も動作状態に維持される充放電制御用のマイコンを内蔵している。またＡＣアダプタ１９の着脱検出及び電源供給制御の機能も兼ねている。
【００２３】
バッテリＬＥＤ２１は、バッテリパック１８が現在充電されている状態か否かを示すものであり、満充電状態の場合はグリーンに点灯し、バッテリパックが充電状態の場合はオレンジ色に点灯し、バッテリが充電されない場合は消灯する。この制御はＩ／Ｏコントロールゲートアレイ１６が行う。
【００２４】
ＡＣアダプタＬＥＤ２２は、同様に外部接続されたＡＣアダプタ１９からの電源供給を受けている場合、グリーンに点灯し、ＡＣアダプタ１９からの電源供給が行われていない時は、消灯する。
【００２５】
また、図３は、この電子機器１０で実行されるシステム環境設定の切り換え制御に関する機能ブロックを示す図である。
【００２６】
この電子機器１０は、例えばキーボード３２１およびタッチパッド３２２の操作がどの位の期間途絶えたらＬＣＤ１４１をオフするかや、データアクセスがどの位の期間途絶えたらＨＤＤ３３をオフするか等、システム環境を設定するための項目を多数有している。また、この電子機器１０では、これらの項目を、いわゆるプロファイルとして一括して管理する。そして、この電子機器１０は、このプロファイルを複数保有するとともに、これらに対応づける時間帯を設定する仕組みをもつことにより、例えばピークカットやピークシフトなどを実現できるようにした点を特徴としており、以下、この点について詳述する。
【００２７】
この電子機器１０では、通常プロファイル、ＥＣＯプロファイルおよびＬＥＣＯ（ＬｏｗＥＣＯ）プロファイルの３つのプロファイルを用意する。通常プロファイルは、システムを性能重視で動作させる、つまり、省電力を考慮せずに動作させるためのシステム環境設定を行うプロファイルであり、また、ＡＣアダプタ１９を介した外部電源の利用に何らの制限を加えることのないプロファイルである。一方、ＥＣＯプロファイルとＬＥＣＯプロファイルは、システムを性能よりも省電力を優先させて動作させるためのシステム環境設定であり、その節電条件は、ＥＣＯプロファイルよりＬＥＣＯプロファイルの方がより厳格に定められる。また、ＡＣアダプタ１９を介した外部電源の利用についても、ＥＣＯプロファイルでは、バッテリパック１８の充電を禁止するのみであるのに対して、ＬＥＣＯプロファイルでは、ＡＣアダプタ１９からの電源供給およびバッテリパック１８の充電も一切禁止する。
【００２８】
この３つのプロファイルの時間帯ごとの使い分け、つまりシステム環境設定の切り換え制御は、オペレーティングシステム１００の制御下で動作するピークシフト／カット制御プログラム２００によって実行される。このピークシフト／カット制御プログラム２００は、例えばＣＤ−ＲＯＭ装置３４によって読み出しが行われる光ディスクに記録されて頒布されるプログラムであり、このＣＤ−ＲＯＭ装置３４を介してＨＤＤ３３にインストールされた後、主メモリ１３にロードされてＣＰＵ１１により起動される。そして、このピークシフト／カット制御プログラム２００は、ユーザインタフェース部２０１、時刻取得部２０２およびプロファイル切換部２０３を有している。
【００２９】
ユーザインタフェース部２０１は、各プロファイルを実行する時間帯を利用者に設定可能とさせるものであり、ＬＣＤ１４１を介して設定画面を利用者に提示するとともに、この画面上で利用者が設定する内容をキーボード３２１およびタッチパッド３２２から入力する。また、ユーザインタフェース部２０１は、その設定された時間帯をＨＤＤ３３に格納する（時間帯データＡ）。
【００３０】
時刻取得部２０２は、オペレーティングシステム１００の内部時計部１０１がＲＴＣ３５を使って計数するシステム時刻を取得するものであり、この取得したシステム時刻をプロファイル切換部２０３に引き渡す。
【００３１】
そして、プロファイル切換部２０３は、時刻取得部２０２から受け取ったシステム時刻とユーザインタフェース部２０１がＨＤＤ３３に格納した時間帯データＡとを比較し、必要に応じて、オペレーティングシステム１０２のパワーマネジメント制御部１０２にプロファイルの切り換えを指示する。このパワーマネジメント制御部１０２は、プロファイル切換部２０３から指示されたプロファイルを用いてシステム環境設定を行い、モニタ電源制御やハードディスク電源制御、ＡＣ電源制御およびバッテリ充電制御などを実行するものである。
【００３２】
いま、この電子機器１０の利用状況および環境が、図４に示すようになっているものと想定する。つまり、９：００〜１７：００が稼働時間帯であり、そのうちの１２：００〜１６：００が電力消費量の集中する時間帯（ピーク時間帯）となっている。また、このピーク時間帯のうち、１３：００〜１５：００は、その集中度が突出する時間帯となっている。
【００３３】
このような場合、この電子機器１０では、通常プロファイルの使用を基本としつつ、１２：００〜１３：００および１５：００〜１６：００はＥＣＯプロファイルが使用され、１３：００〜１５：００はＬＥＣＯプロファイルが使用されるような設定が行われることになる。このように、プロファイルの適用時間が重なっている場合は、より省電力機能が働くプロファイルが適用される。このプロファイルの優先順位はユーザによって変更も可能である。初期設定では、省電力機能がより働くプロファイルが予め設定されており、ＬＥＣＯ＞ＥＣＯ＞通常の準でプロファイルに基づく電子機器１０の制御が行われる。図５は、ユーザインタフェース部２０１がＬＣＤ１４１に表示するピークシフト時間設定画面を示す図である。
【００３４】
図５に示すように、このピークシフト時間設定画面には、その設定を有効とする期間を設定するためのエリア（ａ１）、ＥＣＯプロファイルを使用する時間帯を設定するためのエリア（ａ２）、ＬＥＣＯプロファイルを使用する時間帯を設定するためのエリア（ａ３）および通常プロファイルからＥＣＯプロファイルまたはＬＥＣＯプロファイルへの切り換えを停止させるためのエリア（ａ４）が設けられている。そして、このピークシフト時間設定画面上において、図５に示すような内容の設定を行うと、２００２年６月１日から２００２年１０月３１日の期間中、ＥＣＯプロファイルには、１２：００〜１３：００および１５：００〜１６：００の時間帯、ＬＥＣＯプロファイルには、１３：００〜１５：００の時間帯、通常プロファイルには、それ以外、つまり１６：００〜翌１２：００の時間帯がそれぞれのプロファイルと対応づけられることになる。
【００３５】
次に、図６を参照して、上述の設定を行ったことにより、ここで想定する電子機器１の利用状況および環境に合致したピークシフトが実現される原理について説明する。
【００３６】
まず、１２：００になると、通常プロファイルからＥＣＯプロファイルへの切り換えが行われるが、このＥＣＯプロファイルでは、バッテリパック１８の充電は禁止されるものの、それ以外の用途によるＡＣアダプタ１９を介した外部電源の利用は制限しないため、外部電源による消費電力量は、バッテリパック１８の充電量分低下する。この際、ＥＣＯプロファイルへ移行し、バッテリパック１８の充電が禁止されるとＩ／Ｏコントロールゲートアレイ１６はバッテリＬＥＤ２１を消灯し、充電が停止されたことをユーザに対し視覚的に通知する。その後、１３：００になると、ＥＣＯプロファイルからＬＥＣＯプロファイルへの切り換えが行われる。今度は、ＡＣアダプタ１９を介した外部電源の利用が一切禁止されるため、外部電源からの電力供給量は０になる。そして、この間、この電子機器１０は、バッテリパック１８からの電力で動作を続けることになる。このＬＥＣＯプロファイルの切替えの際に、ＡＣアダプタ１９からの電源供給が禁止されるので、Ｉ／Ｏコントロールゲートアレイ１６は、ＡＣアダプタＬＥＤ２２を消灯する。このことにより、ＡＣアダプタ１９からの電力供給を停止したことをユーザに対し視覚的に通知する。
【００３７】
この状態は、そのまま１５：００まで継続され、１５：００になると、ＬＥＣＯプロファイルからＥＣＯプロファイルへの切り換えが行われる。すると、ＡＣアダプタ１９を介した外部電源の利用が解禁されるため、外部電源による消費電力量が通常プロファイル使用時とほぼ同じ値まで回復する。しかしながら、バッテリパック１８の充電は依然として禁止されるので、バッテリパック１８は、例えローバッテリ状態であってもそのまま放置されることになる。この際に、Ｉ／Ｏコントロールゲートアレイ１６は、ＡＣアダプタＬＥＤ２２を点灯し、ＡＣアダプタ１９からの電力供給を再開したことをユーザに対し視覚的に通知する。
【００３８】
そして、１６：００になると、ＥＣＯプロファイルから通常プロファイルへの切り換えが行われ、バッテリパック１８の充電も解禁されるので、このバッテリパック１８の充電分、外部電源による消費電力量が増加する。この際に、Ｉ／Ｏコントロールゲートアレイ１６は、バッテリＬＥＤ２１を点灯し、バッテリの充電を再開したことをユーザに対し視覚的に通知する。この場合１６：００前まではＬＥＣＯプロファイルで動作されていたため、バッテリパック１８内の容量は減少している。よってオレンジ色の点灯が行われることになる。
【００３９】
つまり、このような設定を行ったことにより、この電子機器１０では、図６中の網掛け部分の外部電源による消費電力量を１６：００以降に移動させる、すなわちピークシフトが実現されることになる。
【００４０】
なお、ＥＣＯプロファイル、ＬＥＣＯプロファイルに従い電子機器１０が動作されている場合に、ＡＣアダプタ１９を非接続状態とした場合、当然電子機器１０はバッテリパック１８からの電源で動作するが、この際にＥＣＯプロファイル、ＬＥＣＯプロファイルから通常プロファイルへ動作が変更される。これは、ピークシフトの概念がＡＣ電源供給を基準に考えられているためである。
【００４１】
また、ＥＣＯプロファイルまたはＬＥＣＯプロファイル適用時間中に電源を落としたり、スタンバイモードに移行させると、電子機器１０はＥＣＯプロファイル、ＬＥＣＯプロファイルによる動作制御から開放され、通常プロファイルとなる。このことにより、電子機器１０の電源はオフされている間にバッテリパック１８の充電が再開される。当然、プロファイルの設定により、電源オフ中も充電を禁止することも可能である。
【００４２】
また、例えばＬＣＤ１４１をオフする条件とするキーボード３２１およびタッチパッド３２２の無操作期間や、ＨＤＤ３３をオフする条件とする無アクセス期間などを、通常プロファイル＞ＥＣＯプロファイル＞ＬＥＣＯプロファイルの関係となるように設定するので、ピークシフトと同時に、さらにピークカットも実現されることになる。
【００４３】
図７および図８は、この電子機器１０におけるシステム環境設定の切り換え制御の流れを示すフローチャートである。
【００４４】
ピークシフト／カット制御プログラム２００によるシステム環境設定の切り換え制御は、まず、ユーザインターフェース部２０１が、各プロファイルに対応づける時間帯の設定を実行する（図７ステップＡ１）。そして、その設定された時間帯に基づき、プロファイル切り換え部２０３が、時刻取得部２０２からシステム時刻を受け取りながら、プロファイルの切り換え制御を実行する（図７ステップＡ２）。図８は、このプロファイルの切り換え制御の詳細な流れを示すフローチャートである。
【００４５】
時刻取得部２０２は、オペレーティングシステム１００の内部時計部１０１からシステム時刻を周期的に取得し、そのシステム時刻をプロファイル切換部２０３に引き渡す（図８ステップＢ１）。一方、このシステム時刻を受け取ったプロファイル切換部２０３は、現在、ユーザインターフェース部２０１により設定されたどの時間帯なのかを調べ、その結果に基づき、プロファイルの切り換えを実行する。具体的には、プロファイル切換部２０３は、まず、ＬＥＣＯプロファイルを使用すべき時間帯かどうかを調べ（図８ステップＢ２）、そうであれば（図８ステップＢ２のＹＥＳ）、次に、現在使用されているプロファイルがＬＥＣＯプロファイルかどうかを調べる（図８ステップＢ３）。そして、もし違っていれば（図８ステップＢ３のＮＯ）、プロファイル切換部２０３は、ＬＥＣＯプロファイルへの切り換えをオペレーティングシステム１００のパワーマネジメント制御部１０２に指示する（図８ステップＢ４）。また、ＬＥＣＯプロファイルへ切り換えられたことに伴い、バッテリＬＥＤ２１とＡＣアダプタＬＥＤ２２とを消灯する（図８ステップＢ５）。このことにより、ユーザはバッテリパック１８の充電が停止されたこと及びＡＣアダプタからの給電が停止したことを視覚的に判別可能となる。
【００４６】
一方、ＬＥＣＯプロファイルを使用すべき時間帯でなかった場合（図８ステップＢ２のＮＯ）、プロファイル切換部２０３は、今度は、ＥＣＯプロファイルを使用すべき時間帯かどうかを調べる（図８ステップＢ６）。そして、ＥＣＯプロファイルを使用する時間帯であれば（図８ステップＢ６のＹＥＳ）、プロファイル切換部２０３は、次に、現在使用されているプロファイルがＥＣＯプロファイルかどうかを調べる（図８ステップＢ７）。もし違っていれば（図８ステップＢ７のＮＯ）、プロファイル切換部２０３は、ＥＣＯプロファイルへの切り換えをオペレーティングシステム１００のパワーマネジメント制御部１０２に指示する（図８ステップＢ８）。ＥＣＯプロファイルへ切り換えられたことに伴い、バッテリＬＥＤ２１を消灯し、ＡＣアダプタＬＥＤ２２を点灯させる（図８ステップＢ９）。このことにより、ユーザはバッテリパック１８の充電は停止されたこと、及びＡＣアダプタからは電源供給を受けていることを視覚的に判別可能となる。
【００４７】
また、ＥＣＯプロファイルを使用すべき時間帯でもなかった場合、つまり通常プロファイルを使用すべき時間帯であった場合（図８ステップＢ６のＮＯ）、プロファイル切換部２０３は、現在使用されているプロファイルが通常プロファイルかどうかを調べる（図８ステップＢ１０）。そして、もし違っていれば（図８ステップＢ１０のＮＯ）、プロファイル切換部２０３は、通常プロファイルへの切り換えをオペレーティングシステム１００のパワーマネジメント制御部１０２に指示する（図８ステップＢ１１）。通常プロファイルを使用することに伴い、バッテリＬＥＤ２１とＡＣアダプタＬＥＤ２２とを点灯する（図８ステップＢ１２）。このことにより、ユーザはバッテリパック１８の充電が開始されたこと及びＡＣアダプタからの給電が開始されたことを視覚的に判別可能となる。
【００４８】
なお、ここでは、時刻取得部２０２が、オペレーティングシステム１００の内部時計部１０１から周期的にシステム時刻を取得する例を説明したが、プロファイル切換部２０３が、ユーザインタフェース部２０１によりＨＤＤ３３に格納された時間帯データＡを参照し、プロファイルを切り換える時刻を求めて、その時刻を時刻取得部２０２に通知するようにしても良い。この場合、時刻取得部２０２は、オペレーティングシステム１００の内部時計部１０１に対して、その時刻になったら通知を返送するように要求し、この通知が返送されてきたら、その時刻の到来をプロファイル切換部２０３に通知する。
【００４９】
このように、ピークシフト／カット制御プログラム２００がシステム環境設定の切り換え制御を実行することにより、この電子機器１０は、複数のプロファイルを時間帯によって使い分けてシステム環境設定を自動的に切り換えることを可能とする。
【００５０】
ところで、以上では、システム側で予め用意されたプロファイルに任意の時間帯を対応づける例を説明したが、このプロファイルで一括して管理されるシステム環境設定項目を利用者が設定できるようにしても良い。図９は、ユーザインタフェース部２０１がＬＣＤ１４１に表示するプロファイル設定画面を示す図、図１０は、ユーザインタフェース部２０１がＬＣＤ１４１に表示する時間帯設定画面を示す図である。
【００５１】
図９に示すように、このプロファイル設定画面には、プロファイル名を設定するためのエリア（ｂ１）、バッテリパック１８の充電を禁止するかどうかを設定するためのエリア（ｂ２）、ＡＣアダプタ１９を介した外部電源の利用を一切禁止するかどうかを設定するためのエリア（ｂ３）、ＬＣＤ１４１の自動オフを行うかどうかとその作動条件を設定するためのエリア（ｂ４）およびＨＤＤ３３の自動オフを行うかどうかとその作動条件を設定するためのエリア（ｂ５）が設けられている。そして、ユーザインタフェース部２０１は、このプロファイル設定画面上で設定された内容をＨＤＤ３３に格納する（プロファイルＢ）。
【００５２】
また、図１０に示すように、時間帯設定画面には、初期設定値として位置づける通常プロファイルを設定するためのエリア（ｃ１）と、時間帯を設定するためのエリア（ｃ２）およびその時間帯に使用するプロファイルを設定するためのエリア（ｃ３）の組み合わせが複数セット設けられている。そして、ユーザインタフェース部２０１は、この時間帯設定画面上で設定された時間帯およびプロファイルの対応づけをＨＤＤ３３に格納する（時間帯データＡ）。
【００５３】
ユーザインタフェース部２０１により時間帯データＡおよびプロファイルＢの設定が行われると、その後は、時刻取得部２０２によりシステム時刻の取得が行われ、この取得されたシステム時刻をもとに、プロファイル切換部２０３が、プロファイルの切り換え制御を実行する。
【００５４】
図１１は、この場合におけるシステム環境設定の切り換え制御の流れを示すフローチャートである。
【００５５】
ピークシフト／カット制御プログラム２００のユーザインターフェース部２０１は、プロファイルの設定と（図１１ステップＣ１）、時間帯およびその時間帯へのプロファイルの対応づけとを設定する（図１１ステップＣ２）。そして、その設定された時間帯およびプロファイルの対応づけに基づき、プロファイル切り換え部２０３は、時刻取得部２０２からシステム時刻を受け取りながら、プロファイルの切り換え制御を実行する（図１１ステップＣ３）。
【００５６】
このように、プロファイルを利用者が設定できるようにすれば、各利用者の状況や事情に合わせた柔軟性の高いピークシフトおよびピークカットを行うことが可能となる。また、プロファイルを設定する仕組みを持てば、ピークシフトおよびピークカットなどの省電力管理に限らず、システム環境設定を時間帯によって自動的に切り換えることをプロファイルの使い分けによって可能となる。
【００５７】
なお、本願発明は、前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。たとえば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５８】
【図１】この発明の実施形態に係る電子機器の外観を示す図
【図２】同実施形態の電子機器のシステム構成を示す図
【図３】同実施形態の電子機器で実行されるシステム環境設定の切り換え制御に関する機能ブロックを示す図
【図４】同実施形態で想定する電子機器の利用状況および環境を説明するための図
【図５】同実施形態の電子機器で表示されるピークシフト時間設定画面を示す図
【図６】同実施形態で想定する電子機器の利用状況および環境に合致したピークシフトが実現される原理について説明するための図
【図７】同実施形態の電子機器におけるシステム環境設定の切り換え制御の流れを示す第１のフローチャート
【図８】同実施形態の電子機器におけるシステム環境設定の切り換え制御の流れを示す第２のフローチャート
【図９】同実施形態の電子機器で表示されるプロファイル設定画面を示す図
【図１０】同実施形態の電子機器で表示される時間帯設定画面を示す図
【図１１】同実施形態の電子機器におけるシステム環境設定の切り換え制御の流れを示す第３のフローチャート
【符号の説明】
【００５９】
１…プロセッサバス、２…ＰＣＩバス、３…ＩＳＡバス、４…Ｉ２Ｃバス、１０…電子機器、１１…ＣＰＵ、１２…ホスト−ＰＣＩブリッジ装置、１３…主メモリ、１４…ディスプレイコントローラ、１５…ＰＣＩ−ＩＳＡブリッジ装置、１６…Ｉ／Ｏコントロールゲートアレイ、１７…電源コントローラ、１８…バッテリパック、１９…ＡＣアダプタ、２０…電源スイッチ、３１…ＢＩＯＳ−ＲＯＭ、３２…キーボードコントローラ（ＫＢＣ）、３３…ＨＤＤ、３４…ＣＤ−ＲＯＭ装置、３５…リアルタイムクロック（ＲＴＣ）、１００…オペレーティングシステム、１０１…内部時計部、１０２…パワーマネジメント部、１４１…ＬＣＤ、２００…ピークシフト／カット制御プログラム、２０１…ユーザインタフェース部、２０２…時刻取得部、２０３…プロファイル切換部、３２１…キーボード、３２２…タッチパッド。
【図１】
2005222564.tif 000003
【図２】
2005222564.tif 000004
【図３】
2005222564.tif 000005
【図４】
2005222564.tif 000006
【図５】
2005222564.tif 000007
【図６】
2005222564.tif 000008
【図７】
2005222564.tif 000009
【図８】
2005222564.tif 000010
【図９】
2005222564.tif 000011
【図１０】
2005222564.tif 000012
【図１１】
2005222564.tif 000013